(57)【要約】【課題】  商用電源の上限電流をより有効活用して、これまで以上に温度の立ち上がりの早いオンデマンド定着を実現可能な画像形成装置およびその制御方法を提供する。【解決手段】  商用電源から供給される電力を利用して発熱する発熱体を内包し、トナー画像が形成された転写材にその発熱体の熱を加えることで前記トナー画像を前記転写材に定着させる定着手段を有する画像形成装置で、充放電可能な蓄電手段を充電し、前記蓄電手段から前記定着手段を除く負荷への電力供給が指示されている間、商用電源から前記定着手段に供給される電力の制限レベルを該電力供給に対応する量だけ増加させる。【選択図】    図９
2007079293.tif 000002
【特許請求の範囲】
【請求項１】
商用電源から供給される電力を利用して発熱する発熱体を内包し、トナー画像が形成された転写材にその発熱体の熱を加えることで前記トナー画像を前記転写材に定着させる定着手段を有する画像形成装置であって、
商用電源から前記定着手段に供給される電力を所定の制限レベルに制限する電力制限手段と、
充放電可能な蓄電手段と、
前記蓄電手段からの電力供給を制御する制御手段と、
前記制御手段による制御状態に応じて、前記制限レベルを調整する調整手段とを備えることを特徴とする画像形成装置。
【請求項２】
前記制御手段は、前記蓄電手段から前記定着手段を除く負荷への電力供給を制御し、
前記調整手段は、前記制御手段が前記蓄電手段から前記定着手段を除く負荷への電力供給を指示している間、前記定着手段に供給される電力の前記制限レベルを該電力供給に対応する量だけ増加させることを特徴とする請求項１に記載の画像形成装置。
【請求項３】
前記制御手段は、前記定着手段の加熱立ち上げ時に前記蓄電手段から電力供給を行なうことを特徴とする請求項１又は２に記載の画像形成装置。
【請求項４】
プリント要求の有無を検出するプリント要求有無検出手段を更に有し、
前記制御手段は、少なくとも電源投入時または省エネルギーモードからの復帰時において、前記プリント要求有無検出手段による検出結果に応じて、前記充放電可能な蓄電手段への供給電力を制御することを特徴とする請求項１乃至３のいずれか１つに記載の画像形成装置。
【請求項５】
前記制御手段は、前記プリント要求有無検出手段が電源投入時または省エネルギーモードからの復帰時にプリント要求が無いと検出すると、前記充放電可能な蓄電手段への電力供給を実行することを特徴とする請求項４に記載の画像形成装置。
【請求項６】
前記制御手段は、前記充放電可能な蓄電手段への電力供給中に、前記プリント要求有無検出手段によりプリント要求を検出すると、前記充放電可能な蓄電手段への電力供給を中止することを特徴とする請求項４に記載の画像形成装置。
【請求項７】
前記蓄電手段の蓄電量を検出する蓄電量検出手段と、前記定着手段の温度を検出する温度検出手段とを更に有し、
前記制御手段は、
前記蓄電量検出手段により検出された前記蓄電手段の蓄電量が所定量以上ある場合、かつ、前記温度検出手段により検出された前記定着手段の温度が所定温度未満の場合は、前記蓄電手段からの電力を前記負荷に供給し、
前記蓄電手段からの電力を前記負荷に供給している間、前記蓄電量検出手段と前記温度検出手段による検出を繰り返すことで前記蓄電手段の蓄電量とおよび前記定着手段の温度を監視し、
前記蓄電手段の蓄電量が前記所定量未満となった場合、又は、前記定着手段の温度が前記所定温度以上となった場合は、前記蓄電手段から前記負荷への電力供給を遮断することを特徴とする請求項１乃至６のいずれか１つに記載の画像形成装置。
【請求項８】
前記定着手段は、電磁誘導加熱方式の定着器であることを特徴とする請求項１乃至７のいずれか１つに記載の画像形成装置。
【請求項９】
前記定着手段は、セラミック面状発熱ヒータ方式の定着器であることを特徴とする請求項１乃至７のいずれか１つに記載の画像形成装置。
【請求項１０】
商用電源から供給される電力を利用して発熱する発熱体を内包し、トナー画像が形成された転写材にその発熱体の熱を加えることで前記トナー画像を前記転写材に定着させる定着手段を有する画像形成装置の制御方法であって、
商用電源から前記定着手段に供給される電力を所定の制限レベルに制限する電力制限工程と、
充放電可能な蓄電手段を充電する充電工程と、
前記蓄電手段から前記定着手段を除く負荷への電力供給を制御する制御工程と、
前記制御工程で前記蓄電手段から前記定着手段を除く負荷への電力供給が指示されている間、前記定着手段に供給される電力の前記制限レベルを該電力供給に対応する量だけ増加させる調整工程とを備えることを特徴とする画像形成装置の制御方法。
【請求項１１】
請求項１０に記載の画像形成装置の制御方法を実現するコンピュータ実行可能なプログラム。
【発明の詳細な説明】
【技術分野】
【０００１】
本発明は画像形成装置およびその制御方法、特に、電子写真プロセス等を利用した画像形成装置およびその制御方法に関するものである。
【背景技術】
【０００２】
レーザビームプリンタ等の電子写真プロセスを用いた画像形成装置には、記録媒体（記録紙やＯＨＰシートなど）に形成されたトナー像を熱溶融させて定着させる定着器が設けられている。この定着器における加熱方式としてはいくつかのタイプがある。とりわけ、磁束により定着ローラに電流を誘導させ、そのジュール熱によって発熱させる電磁誘導加熱方式は、誘導電流の発生を利用することで直接定着ローラを発熱させることができる。従って、ハロゲンランプを熱源として用いた熱ローラ方式の定着装置よりも高効率の定着プロセスを達成できる点で有利である（例えば、特許文献１を参照）。
【０００３】
ところで、例えばＡ４サイズの定型紙を１６枚／分の速度で印字可能とするようなカラー画像形成装置（Ａ４機）においては、近年、上記したような電磁誘導加熱方式の熱容量の小さな定着器を使用している。そのため、待機時の定着温度調節（以下、「温度調節」を「温調」と略記することもある。）が不要で、プリント時にのみ加熱を行ういわゆる「オンデマンド定着」を実現することが可能となっている。
【０００４】
一方、Ａ３サイズの定型紙まで印字可能とするようなカラー画像形成装置（Ａ３機）においては、その印刷スピードに依存するものの、一般にＡ４機よりは定着器に求められる熱容量が大きい。そのため、待機時においても所定の時間間隔で電力を定着器に供給することで予熱を行ういわゆる「スタンバイ温調」がなされている（例えば、特許文献２を参照）。スタンバイ温調を行う理由は次のとおりである。
【０００５】
図２２は、従来の電磁誘導加熱方式の定着器を用いたカラー画像形成装置（Ａ３機）において、定着器の冷えた状態からプリント可能状態の温度（例えば１８０℃）に達するまでの立ち上がり時間とその時に定着器のヒータに供給した電力（定着電力）との関係を示している。図２２において、供給可能な定着電力が約９００Ｗであるとすると、プリント可能状態の温度（プリント温度）に達するまでの立ち上がり時間は３０ｓｅｃ（点Ｗａ）となっている。この時間は一般的に用いられるハロゲンヒータを用いた定着器に比べて極めて短時間である。
【０００６】
しかしながら、紙の搬送時間等を考慮すると、プリント開始から一枚目の画像形成済みの紙が排紙部に排出されるまでの時間（ファースト・プリントアウトタイム）は３０ｓｅｃよりも遅くなり、ユーザを待たせてしまう。このため、ファースト・プリントアウトタイムを短縮するために、ハロゲンヒータ方式の定着器を用いた画像形成装置で一般的に行われているように、待機時においても所定の時間間隔で電力を定着器に供給することで予熱を行う。このスタンバイ温調を実施することにより、プリントジョブを開始してから画像形成可能な所定の定着温度に早く到達させるようにしている。
【０００７】
電磁誘導加熱方式におけるこのようなスタンバイ温調時の消費電力は、ハロゲンヒータを用いた定着方式と比較するとスタンバイ温調時の温度を低く設定することができるため、小さな電力消費に抑えることが可能である。しかし、オンデマンド定着方式と比較する場合には余分な電力（スタンバイ温調時の電力）が必要であることには変わりない。
【０００８】
ところで、この画像形成装置において、定着器のヒータへの供給電力を約２００Ｗ増加させることが可能であれば、定着器に１１００Ｗ投入することができ、プリント温度に達するまでの時間は約１５ｓｅｃ（図２２中の点Ｗｂ）となる。このため、この画像形成装置が目標とするファースト・プリントアウトタイムが仮に２０ｓｅｃ程度であれば、画像形成装置の構成、紙搬送経路や搬送速度等に依存するものの、スタンバイ温調が不要なオンデマンド定着を実現することも可能である。
【０００９】
しかしながら、最近では、画像形成装置の技術向上に伴い、これまで中速機（中級機）のカテゴリの画像形成装置が小型化、低価格化されながらも高速化され、一昔前の高速機の速度に達してきている。それに伴って、省エネルギー化、ファースト・プリントアウトタイムの短縮等の付加価値が、これまで以上に市場から求められるようになってきている。
【００１０】
このような背景を考慮すると、高効率な電磁誘導加熱方式の定着器を用いたとしても、従来Ａ４機において実現可能であったオンデマンド定着では市場の要求に応えることが難しくなってきている。
【００１１】
また、Ａ３機において従来行ってきたスタンバイ温調は、上記したように、必要最小限度の電力とはいえ待機時においても定着器に電力を投入していることになる。このため、このスタンバイ温調が、画像形成装置の待機時における消費電力の軽減が困難である要因の１つでもあった。
【００１２】
だからといって、スタンバイ時の省エネルギー化を重視してこのスタンバイ温調制御を実施しないことにすると、プリント開始から画像形成可能な所定の定着温度に達するまでの時間が長くかかる。結果として、ファースト・プリントアウトタイムが遅くなってしまうという問題に直面することになる。つまり、待機時における省エネルギー化とファースト・プリントアウトタイムの短縮とは、トレードオフの関係にある。
【００１３】
したがって、待機時における省エネルギー化とファースト・プリントアウトタイムの短縮という両者のバランスを取った上で、市場に受け入れられるレベルの、温度の立ち上がりの早いオンデマンド定着システムを開発する必要がある。
【００１４】
一方、モノクロ高速印刷機やカラー印刷高画質機等の大型でかつ高付加価値の画像形成装置、いわゆる高速機（高級機）では、省エネルギー化の工夫はなされている。しかし、高機能化やオプション装置の充実等の更なる付加価値が求められており、消費電力は増加していく方向にある。これら機器の消費する電力の上限の１つの目安としては、商用電源で供給可能な最大電流がある。例えば、電圧１００Ｖの商用電源について、１５Ａの最大供給電流が規定されている場合には、その電力の上限は１５００Ｗ（＝１００Ｖ×１５Ａ）となる。画像形成装置本体においては、装置の最大電流が商用電源の最大電流を超えないように設計するのが通常である。
【００１５】
また、この高速機クラスの定着器では、高速連続定着に耐え得るように、一般に熱容量の大きな定着器が用いられることが多い。このような定着器のデメリットは、定着器が冷えた状態からスタンバイ状態の温度に達するまでの時間（ウォームアップ時間）に長時間（例えば数分）を要する点であり、このウォームアップ時間の短縮が改善課題の１つであった。
【００１６】
これに対し、単純に大電力を投入して定着器のウォームアップ時間を短縮しようとすると、商用電源の最大電力が装置として使用可能な電力の上限という制約になるため、定着システム自体の改善を行わない限り、さらにウォームアップ時間を短縮することは困難であった。
【００１７】
このような問題を解決する１つの方法として、例えば特許文献３では、定着器への電力を有効活用するために、定着器に主ヒータと副ヒータを備えた画像形成装置に蓄電部を設けることを提案している。蓄電部は、直流電源あるいは直流モータ制御部に選択的に接続する。蓄電部から直流モータに電力が供給されている間は、本来直流モータに供給されるはずの電力を副ヒータに供給できるため、定着器の温度を従来よりも上げることができ、この間は高速で複写できるようになっている。
【００１８】
また、特許文献４では、画像形成装置に蓄電装置を設け、定着器の立ち上げ時に商用電源からの電力と蓄電装置からの電力とを併用することにより、省エネルギーとプリント開始時間の短縮とを図る方法が提案されている。
【特許文献１】実開昭５１−１０９７３９号公報
【特許文献２】特開２００２−０５６９６０号公報
【特許文献３】実公平７−４１０２３号公報
【特許文献４】特開２００２−１７４９８８号公報
【発明の開示】
【発明が解決しようとする課題】
【００１９】
しかしながら、定着器が主ヒータと副ヒータを備える構成の画像形成装置において、蓄電装置に十分な電力が蓄えられていない状態で定着器を立ち上げようとした場合、蓄電装置から、副ヒータや定着装置以外の画像形成装置の負荷に電力を供給できなくなるおそれがある。又、副ヒータに電力が供給できなくなると、副ヒータ部をも主ヒータで暖めることになり、蓄電装置を設けない従来の定着装置以上に立ち上げ時間を要するという不都合が生じるおそれもある。さらに、定着器以外の画像形成装置の負荷に必要な電力を供給できなければ、画像形成装置を正常に動作できなくなる場合も想定され、この場合、所定期間、画像形成装置を停止させる等の処理が必要となり、使用上、不都合が生じる場合も想定される。
【００２０】
また、特許文献３や特許文献４のような構成では、蓄電手段から副ヒータや所定の負荷への電力供給を単にオン／オフするだけであるため、画像形成装置が接続される商用電源の電圧や画像形成装置の負荷条件によっては、商用電源で供給可能な最大電力を有効に活用することができない。また、複数のヒータを必要とする構成のため、定着器の構成が複雑になっていた。
【００２１】
本発明は、このような問題に鑑みてなされてものであり、商用電源の上限電流をより有効活用して、これまで以上に温度の立ち上がりの早いオンデマンド定着を実現可能な画像形成装置およびその制御方法を提供することを目的とする。
【課題を解決するための手段】
【００２２】
上記した課題を解決するために、本発明の画像形成装置は、商用電源から供給される電力を利用して発熱する発熱体を内包し、トナー画像が形成された転写材にその発熱体の熱を加えることで前記トナー画像を前記転写材に定着させる定着手段を有する画像形成装置であって、商用電源から前記定着手段に供給される電力を所定の制限レベルに制限する電力制限手段と、充放電可能な蓄電手段と、前記蓄電手段からの電力供給を制御する制御手段と、前記制御手段による制御状態に応じて、前記制限レベルを調整する調整手段とを備えることを特徴とする。
【００２３】
ここで、前記制御手段は、前記蓄電手段から前記定着手段を除く負荷への電力供給を制御し、前記調整手段は、前記制御手段が前記蓄電手段から前記定着手段を除く負荷への電力供給を指示している間、前記定着手段に供給される電力の前記制限レベルを該電力供給に対応する量だけ増加させる。また、前記制御手段は、前記定着手段の加熱立ち上げ時に前記蓄電手段から電力供給を行なう。また、プリント要求の有無を検出するプリント要求有無検出手段を更に有し、前記制御手段は、少なくとも電源投入時または省エネルギーモードからの復帰時において、前記プリント要求有無検出手段による検出結果に応じて、前記充放電可能な蓄電手段への供給電力を制御する。また、前記制御手段は、前記プリント要求有無検出手段が電源投入時または省エネルギーモードからの復帰時にプリント要求が無いと検出すると、前記充放電可能な蓄電手段への電力供給を実行する。また、前記制御手段は、前記充放電可能な蓄電手段への電力供給中に、前記プリント要求有無検出手段によりプリント要求を検出すると、前記充放電可能な蓄電手段への電力供給を中止する。
【００２４】
前記蓄電手段の蓄電量を検出する蓄電量検出手段と、前記定着手段の温度を検出する温度検出手段とを更に有し、前記制御手段は、前記蓄電量検出手段により検出された前記蓄電手段の蓄電量が所定量以上ある場合、かつ、前記温度検出手段により検出された前記定着手段の温度が所定温度未満の場合は、前記蓄電手段からの電力を前記負荷に供給し、前記蓄電手段からの電力を前記負荷に供給している間、前記蓄電量検出手段と前記温度検出手段による検出を繰り返すことで前記蓄電手段の蓄電量とおよび前記定着手段の温度を監視し、前記蓄電手段の蓄電量が前記所定量未満となった場合、又は、前記定着手段の温度が前記所定温度以上となった場合は、前記蓄電手段から前記負荷への電力供給を遮断する。
【００２５】
前記定着手段は、電磁誘導加熱方式の定着器である。また、前記定着手段は、セラミック面状発熱ヒータ方式の定着器である。
【００２６】
又、本発明の画像形成装置の制御方法は、商用電源から供給される電力を利用して発熱する発熱体を内包し、トナー画像が形成された転写材にその発熱体の熱を加えることで前記トナー画像を前記転写材に定着させる定着手段を有する画像形成装置の制御方法であって、商用電源から前記定着手段に供給される電力を所定の制限レベルに制限する電力制限工程と、充放電可能な蓄電手段を充電する充電工程と、前記蓄電手段から前記定着手段を除く負荷への電力供給を制御する制御工程と、前記制御工程で前記蓄電手段から前記定着手段を除く負荷への電力供給が指示されている間、前記定着手段に供給される電力の前記制限レベルを該電力供給に対応する量だけ増加させる調整工程とを備えることを特徴とする。
【００２７】
更に上記画像形成装置の制御方法を実現するコンピュータ実行可能なプログラムを提供する
【発明の効果】
【００２８】
本発明によれば、商用電源の上限電流をより有効活用して、これまで以上に温度の立ち上がりの早いオンデマンド定着を実現可能な画像形成装置およびその制御方法を提供することができる。
【発明を実施するための最良の形態】
【００２９】
以下、図面を参照して本発明の好適な実施形態について詳細に説明する。なお、以下では本発明の一実施形態としてレーザビームプリンタを例にとって説明する。ただし、本発明はレーザビームプリンタに限定されるものではなく、電子写真プロセスを使用した画像形成装置全般に適用することができる。
【００３０】
＜本実施形態のレーザビームプリンタの概略構成例＞
図１は、本発明の実施形態に係るレーザビームプリンタ１００の概略構成を示す図である。このレーザビームプリンタ１００は、黒画像（Ｂｋ），イエロー画像（Ｙ），マゼンタ画像（Ｍ），シアン（Ｃ）画像の各色ごとに画像形成部を設けている、いわゆるタンデムタイプのプリンタである。
【００３１】
それぞれの画像形成部は、感光体ドラム１８、感光ドラムを一様に帯電する一次帯電器１６、感光体ドラム上に潜像を形成するスキャナユニット１１、潜像を現像して可視像とする現像器１４、可視像を転写紙に転写する転写器１９、感光体の残留トナーを除去するクリーニング装置１５等で構成される。尚、参照番号の最後は、ａ：イエロー、ｂ：マゼンタ、ｃ：シアン、ｄ：ブラックの構成要素を表わしている。
【００３２】
（スキャナユニット：図２）
ここで、スキャナユニット１１の構成について説明しておく。図２は、スキャナユニット１１の構成を示す図である。
【００３３】
パーソナルコンピュータ等の図示しない外部機器からの画像形成指示があると、レーザビームプリンタ１００内のコントローラ（図示せず）において、画像情報が露光手段であるレーザビームをオン／オフするための画像信号（ＶＤＯ信号）１０１に変換される。この画像信号（ＶＤＯ信号）１０１は、スキャナユニット１１内のレーザユニット１０２に入力される。１０３は、レーザユニット１０２によりオン／オフ変調されたレーザビームである。１０４は、回転多面鏡（ポリゴンミラー）１０５を定常回転させるスキャナモータである。１０６は、ポリゴンミラーによって変更されたレーザビーム１０７を、被走査面である感光ドラム１０８上に焦点を結ばせる結像レンズである。
【００３４】
この構成により、画像信号１０１により変調されたレーザビーム１０３が感光ドラム１０８上を水平走査（主走査方向への走査）し、感光ドラム１０８上に潜像が形成される。
【００３５】
１０９はビーム検出口で、スリット状の入射口よりビームを取り入れる。この入射口より入ったレーザビームは、光ファイバ１１０内を通って光電変換素子１１１に導かれる。光電変換素子１１１により電気信号に変換されたレーザビームは、増幅回路（図示しない）により増幅された後、水平同期信号となる。
【００３６】
説明を図１に戻す。カセット２２から給紙される記録媒体としての転写紙は、画像形成部とタイミングをとるために、レジストローラ２１で待機する。
【００３７】
また、レジストローラ２１の近傍には、給紙された転写紙の先端を検知するためのレジセンサ２４が設けてある。画像形成部を制御する画像形成制御部（以下の画像形成制御回路に相当）は、レジセンサ２４の検出結果により、紙の先端がレジストローラ２１に到達したタイミングを検知する。上の先端を検知すると、１色目（図の例ではイエロー色）の像を、像担持体である感光ドラム１８ａ上に形成するとともに、定着器２３のヒータ（本例では、以下の定着ベルト５０１）温度が所定の温度になるよう制御する。
【００３８】
２９は吸着ローラであり、このローラの軸に吸着バイアスを印加し、転写紙を搬送ベルト２０上に静電的に吸着させる。
【００３９】
レジストローラ２１で待機した転写紙は、レジセンサ２４の検出結果と像形成プロセスとのタイミングをとって、各色画像形成部を貫通するように配置された転写ベルト２０上を搬送されるとともに、転写器１９ａにより１色目の画像が転写紙上に転写される。
【００４０】
同様に、２色目（図の例ではマゼンタ）の像は、レジセンサ２４の検出結果と、２色目像形成プロセスとのタイミングをとって、転写ベルト２０上を搬送される転写紙上の、１色目の像の上に重畳転写される。以降同様に、３色目（図の例ではシアン）の像，４色目（図の例では黒色）の像が、各像形成プロセスとのタイミングを取って、転写紙上に順次重畳転写される。
【００４１】
そして、トナー画像が転写された転写紙は定着器２３へと搬送され、その転写紙が定着器２３におけるニップ部Ｎ（詳細は後述する）を通過することにより、トナーが加圧、加熱されて転写紙に溶融定着される。定着器２３を通過した転写紙は機外に排紙されフルカラーの画像形成が終了する。
【００４２】
（定着器の構成例：図３乃至図５）
本実施形態における定着器２３では、ハロゲンランプを熱源として用いた熱ローラ方式よりも高効率な、電磁誘導加熱方式を採用する。ここでは、図３乃至図５を参照して定着器２３の構造例を説明する。尚、図３は定着器２３の要部の横断面構造を示す構成図、図４は定着器２３の要部の正面構造を示す構成図、図５は定着器２３を構成する定着ベルトガイド部材を示す斜視図である。
【００４３】
５０１は、電磁誘導発熱層（導電体層、磁性体層、抵抗体層）を有する電磁誘導発熱性の回転体としての円筒状の定着ベルトである。この定着ベルト５０１の具体的な構造例については後述する。
【００４４】
５１６ａは横断面略半円弧状樋型のベルトガイド部材であり、円筒状の定着ベルト５０１はこのベルトガイド部材５１６ａの外側にルーズに外嵌させてある。  ベルトガイド部材５１６ａは基本的に以下の役目を果たす。
(1) 後述する加圧ローラ５３０との圧接により形成される定着ニップ部Ｎへの加圧、
(2) 磁場発生手段としての励磁コイル５０６および磁性コア５０５の支持、
(3) 定着ベルト５０１の支持、
(4) 定着ベルト５０１の回転時の搬送安定性の確保。
これらの役目を果たすため、ベルトガイド部材５１６ａには、高い荷重に耐えられ、絶縁性に優れ耐熱性のよい材質のものを使用することが望ましい。例えば、フェノール樹脂、フッ素樹脂、ポリイミド樹脂、ポリアミド樹脂、ポリアミドイミド樹脂、ＰＥＥＫ樹脂、ＰＥＳ樹脂、ＰＰＳ樹脂、ＰＦＡ樹脂、ＰＴＦＥ樹脂、ＦＥＰ樹脂、ＬＣＰ樹脂などを選択するとよい。
【００４５】
ベルトガイド部材５１６ａは、磁場発生手段としての磁性コア（芯材５０５ａ，５０５ｂ，５０５ｃによりＴ字型に構成される）と励磁コイル５０６を内側に保持している。また、ベルトガイド部材５１６ａには、図３に示すように、紙面垂直方向長手の良熱伝導部材（例えばアルミニウム材）５４０がニップ部Ｎの加圧ローラ５３０との対向面側で、定着ベルト５０１の内側に配設してある。良熱伝導部材５４０は、長手方向の温度分布を均一にする効果がある。
【００４６】
図４に示されるフランジ部材５２３ａ，５２３ｂは、ベルトガイド部材５１６ａのアセンブリの左右両端部に外嵌している。そして、ベルトガイド部材５１６ａの左右位置を固定しつつ回転自在に取り付け、定着ベルト５０１の回転時にその定着ベルト５０１の端部を受けて定着ベルト５０１のベルトガイド部材長手方向に沿う寄り移動を規制する役目をする。
【００４７】
５３０は加圧部材としての弾性加圧ローラであり、定着ベルト５０１を挟ませてベルトガイド部材５１６ａの下面と所定の圧接力をもって所定幅の定着ニップ部Ｎを形成させて相互圧接させてある。ここで、上記磁性コア５０５は、定着ニップ部Ｎに対応位置させて配設してある。加圧ローラ５３０は、芯金５３０ａと、芯金５３０ａ周りに同心一体にローラ状に形成被覆させた、シリコンゴム、フッ素、フッ素樹脂などの耐熱性・弾性材層５３０ｂとで構成されている。この加圧ローラ５３０は、芯金５３０ａの両端部を装置の不図示のシャーシ側板金間に回転自在に軸受け保持させて配設してある。加圧用剛性ステー５１０の両端部と装置シャーシ側のバネ受け部材５２９ａ，５２９ｂとの間にそれぞれ加圧バネ５２５ａ，５２５ｂを縮設することで、加圧用剛性ステー５１０に押し下げ力を作用させている。これにより、ベルトガイド部材５１６ａの下面と加圧ローラ５３０の上面とが定着ベルト５０１を挟んで圧接して所定幅の定着ニップ部Ｎが形成される。
【００４８】
加圧ローラ５３０は、駆動モータＭにより矢示の反時計方向に回転駆動される。この回転駆動による加圧ローラ５３０と定着ベルト５０１の外面との摩擦力によって、定着ベルト５０１に回転力が作用する。これにより、定着ベルト５０１は、その内面が定着ニップ部Ｎにおいてベルトガイド部材５１６ａの下面に密着して摺動しながら、矢示の時計方向に加圧ローラ５３０の回転周速度に略対応した周速度をもってベルトガイド部材５１６ａの外回りを回転する（加圧ローラ駆動方式）。また、図５に示すように、ベルトガイド部材５１６ａの周面に、その長手に沿い所定の間隔を置いて凸リブ部５１６ｅを形成具備させている。これにより、ベルトガイド部材５１６ａの周面と定着ベルト５０１の内面との接触摺動抵抗を低減させて定着ベルト５０１の回転負荷を少なくしている。
【００４９】
励磁コイル５０６は、コイル（線輪）を構成させる導線（電線）として、一本ずつがそれぞれ絶縁被覆された銅製の細線を複数本束ねたもの（束線）を用い、これを複数回巻いて励磁コイルを形成している。絶縁被覆は、定着ベルト５０１の発熱による熱伝導を考慮して耐熱性を有する被覆を用いるのがよい。例えば、アミドイミドやポリイミドなどの被覆を用いるとよい。励磁コイル５０６には外部から圧力を加えて密集度を向上させてもよい。
【００５０】
励磁コイル５０６の形状は、図３に示すように、発熱層の曲面に沿うようにしている。本実施形態では、定着ベルト５０１の発熱層と励磁コイル５０６との間の距離は略２ｍｍになるように設定した。
【００５１】
磁性コア５０５ａ，５０５ｂ，５０５ｃ及び励磁コイル５０６と定着ベルト５０１の発熱層との間の距離をできる限り近付けた方が、磁束の吸収効率が高い。この距離が５ｍｍを超えるとこの効率が著しく低下するため、５ｍｍ以内にするのがよい。また、５ｍｍ以内であれば定着ベルト５０１の発熱層と励磁コイル５０６との距離が一定である必要はない。励磁コイル５０６の励磁コイル保持部材としてのベルトガイド部材５１６ａからの引出線、すなわち５０６ａ，５０６ｂ（図５）については、束線の外側に絶縁被覆を施している。
【００５２】
励磁コイル５０６は、図８及び図９で後述する定着制御回路（励磁回路）から供給される交番電流によって交番磁束を発生する。図６は、交番磁束の発生の様子を模式的に表した図である。
【００５３】
磁束Ｃは発生した交番磁束の一部を表す。磁性コア５０５ａ，５０５ｂ，５０５ｃに導かれた交番磁束Ｃは、磁性コア５０５ａ，５０５ｃと、磁性コア５０５ａ，５０５ｂにより、図３のＳａ，Ｓｂの領域に集中的に分布し、定着ベルト５０１の電磁誘導発熱層１に渦電流を発生させる。この渦電流は、電磁誘導発熱層１の固有抵抗によって電磁誘導発熱層１にジュール熱（渦電流損）を発生させる。
【００５４】
ここでの発熱量Ｑは、電磁誘導発熱層１を通る磁束の密度によって決まり、図６の右側のグラフのような分布を示す。図６の右側のグラフは、縦軸が磁性コア５０５ａの中心を０とした角度θで表した定着ベルト５０１における円周方向の位置を示し、横軸が定着ベルト５０１の電磁誘導発熱層１での発熱量Ｑを示す。ここで、発熱域Ｈ（図３のＳａ，Ｓｂの領域に対応する）は、最大発熱量をＱとした場合、発熱量がＱ／ｅ以上の領域と定義する。これは、定着に必要な発熱量が得られる量である。
【００５５】
定着ニップ部Ｎの温度は、温度センサ４０５，４０６を含む温調系により励磁コイル５０６に対する電流供給が制御されることで、所定の温度が維持されるように温調される。図３及び図４に示される温度センサ４０５は、例えば、定着ベルト５０１の温度を検知するサーミスタなどで構成され、本実施形態においては、温度センサ４０５で測定した定着ベルト５０１の温度情報を基に、定着ニップ部Ｎの温度を制御するようにしている。
【００５６】
（定着ベルトの構成例）
図７は、定着ベルト５０１の層の構成例を示す図である。
【００５７】
定着ベルト５０１は、図７に示すように、基層となる電磁誘導発熱性の金属ベルト等で構成された発熱層５０１Ａと、その外面に積層した弾性層５０１Ｂと、その外面に積層した離型層５０１Ｃとの複合構造となっている。発熱層５０１Ａと弾性層５０１Ｂとの間の接着、弾性層５０１Ｂと離型層５０１Ｃとの間の接着のため、各層間にプライマ層を設けてもよい。略円筒形状である定着ベルト５０１において、発熱層５０１Ａが内面側であり、離型層５０１Ｃが外面側である。
【００５８】
上述したように、発熱層５０１Ａに交番磁束が作用することで発熱層５０１Ａに渦電流が発生して発熱層５０１Ａが発熱する。その熱が弾性層５０１Ｂ，離型層５０１Ｃを介して定着ベルト５０１を加熱し、定着ニップ部Ｎに通紙される被加熱材としての被記録材Ｐを加熱して、トナー画像の加熱定着がなされる。
【００５９】
（定着器の動作例）
本実施形態における定着器２３の構造は概ね上記のとおりであるが、その動作の概略は次のとおりである。
【００６０】
加圧ローラ５３０が回転駆動され、それに伴って円筒状の定着ベルト５０１がベルトガイド部材５１６ａの外回りを回転する。そして、励磁回路から励磁コイル５０６への給電により上記のように定着ベルト５０１の電磁誘導発熱がなされて、定着ニップ部Ｎが所定の温度に立ち上がって温調された状態となる。この状態で、図１の転写ベルト２０により搬送された、未定着トナー画像ｔが形成された転写紙が、定着ニップ部Ｎの定着ベルト５０１と加圧ローラ５３０との間に、画像面が上向き、即ち定着ベルト面に対向して導入される。次に、定着ニップ部Ｎにおいて画像面が定着ベルト５０１の外面に密着して、定着ベルト５０１と一緒に定着ニップ部Ｎを挟持搬送されていく。この定着ニップ部Ｎを定着ベルト５０１と一緒に転写紙が挟持搬送されていく過程において、電磁誘導発熱で加熱された定着ベルト５０１により転写紙上の未定着トナー画像ｔが加熱定着される。転写紙は、定着ニップ部Ｎを通過すると、回転中の定着ベルト５０１の外面から分離して排出搬送されていく。
【００６１】
なお、本実施形態ではトナーに低軟化物質を含有させたトナーを使用したため、定着器２３にオフセット防止のためのオイル塗布機構を設けていないが、低軟化物質を含有させていないトナーを使用した場合には、オイル塗布機構を設けてもよい。また、低軟化物質を含有させたトナーを使用した場合にもオイル塗布や冷却分離を行ってもよい。
【００６２】
＜本実施形態の給電制御系の構成例＞
図８は、本実施形態におけるレーザビームプリンタ１００の給電制御系の構成を示す図である。
【００６３】
商用電源３０１からの交流電圧は、定着器２３に交番電流を供給する励磁回路（誘導加熱制御部）として機能する定着制御回路３３０と、スイッチング電源回路４７０とに供給されるような構成となっている。スイッチング電源回路４７０は、商用電源の交流電圧を画像形成部等で使用する２４Ｖ等の直流電圧に降圧して供給している。スイッチング電源回路４７０からの出力電圧Ｖｅは画像形成を制御する画像形成制御回路３１６を動作させるための電圧、出力電圧Ｖａは負荷４６０に電圧を供給している。
【００６４】
ここで、負荷４６０とは、発熱体としての励磁コイル５０６以外の画像形成部における負荷のことであり、例えば４つの感光体ドラム１８ａ〜１８ｄをそれぞれ個別に駆動する４つのＤＣブラシレスモータ（図示せず）、搬送ベルト２０を駆動する１つのＤＣブラシレスモータ（図示せず）を含む。これらの計５個のＤＣブラシレスモータは、感光体ドラム１８と当接したベルト２０の表面が擦れないように、画像形成制御回路３１６により同時に回転駆動／停止の制御がなされる。また、これらのモータが駆動力を供給する感光体ドラム１８ａ〜１８ｄ等は、レーザビームプリンタ１００の使用し始めと耐久後とでそのトルクが変動することが分かっている。従って、ＤＣブラシレスモータのトルクや供給する電力も耐久後のトルクアップを見越して設計する必要がある。
【００６５】
４５６は充電回路であり、スイッチング電源回路４７０から供給された電圧Ｖａを受け、画像形成制御回路３１６からの充電指令により、所定電圧Ｖｂ（ここではＶｂ≒Ｖａ）を蓄電器４５５に供給する。蓄電器４５５は、例えば複数個の電気二重層コンデンサ素子で構成され、充電回路は蓄電器４５５を所定電圧Ｖｃ（≒Ｖｂ）に充電する。電気二重層コンデンサは、その容量が数Ｆ以上と大きく、二次電池と比べて充電効率が良く長寿命であるため、近年多くの分野において注目されている素子である。
【００６６】
蓄電器４５５の充電電圧Ｖｃは、蓄電器電圧検出回路４５７によって検出され、その検出結果は、例えばアナログ信号として画像形成制御回路３１６内にあるＣＰＵ（後述の図１３Ａ参照）のＡ／Ｄポートに送信される。画像形成制御回路３１６は、この蓄電器電圧検出回路４５７の検出結果に応じて充電回路４５６への充電要否の判断を行う。
【００６７】
定電圧制御回路４５８は例えばスイッチング方式の昇圧コンバータであり、蓄電器４５５の充電電圧Ｖｃを、負荷４６０の駆動に必要な電圧Ｖｄ（Ｖｄ≒Ｖａ−Ｖｆ，ただし、 Ｖｄ＞Ｖｃ， Ｖｆ＝ダイオード４５３の順方向電圧：約０．６Ｖ）に昇圧制御する。電圧Ｖｄは、スイッチ４６３を介して負荷４６０に供給され、モータの駆動等に用いられる。スイッチ４６３は、商用電源３０１または蓄電器４５５のいずれかを負荷４６０への電力供給源として選択する選択手段として機能する。すなわち、スイッチ４６３をオフにすれば、商用電源３０１が負荷４６０への電力供給源となり、逆にスイッチ４６３をオンにすれば、蓄電器４５５が負荷４６０への電力供給源となる。スイッチ４６３にはオン／オフ耐久性の理由から、ＦＥＴ等の半導体スイッチを使用するのが好ましいものの、オン／オフ回数などの寿命が問題なければリレー等のメカニカルスイッチを用いても構わない。また、ダイオード４５３は、蓄電器４５５から定電圧制御回路４５８を介して電圧Ｖｄを供給している際に、スイッチング電源回路４７０からの出力Ｖａが負荷４６０へ供給されないようにするものである。
【００６８】
＜定着制御回路３３０の構成＞
まず、図３の定着器２３の構成図を参照されたい。本実施形態では、図３に示すように、定着ベルト５０１の発熱域Ｓａ（図６の発熱域Ｈに対応する）に対向する位置に温度検知素子としてのサーモスイッチ５０２を非接触で配設している。
【００６９】
定着制御回路３３０は、例えば暴走時の励磁コイル５０６への給電を遮断すべく、このサーモスイッチ５０２の動作に応じて励磁コイル５０６への給電を制御する。ここではサーモスイッチ５０２のオフ動作温度を２２０℃に設定した。また、サーモスイッチ５０２と定着ベルト５０１との間の距離は略２ｍｍとした。これにより、定着ベルト５０１にサーモスイッチ５０２の接触による傷が付くことがなく、耐久による定着画像の劣化を防止することができる。
【００７０】
なお、この温度検知素子としては、サーモスイッチ５０２の代わりに温度ヒューズ等を用いてもよい。
【００７１】
図９は、本実施形態における定着制御回路３３０の構成を示すブロック図である。この定着制御回路３３０は、サーモスイッチ５０２を＋２４ＶＤＣ電源及びリレースイッチ３０３に直列に接続している。サーモスイッチ５０２が切れるとリレースイッチ３０３への給電が遮断され、リレースイッチ３０３がオープンして定着制御回路３３０への給電が遮断されることにより、励磁コイル５０６への給電を遮断するという構成をとっている。
【００７２】
図９に示した定着制御回路３３０の構成をその動作と共に詳述する。整流回路３０４は、交流入力から両波整流を行うブリッジ整流回路と高周波フィルタを行うコンデンサとで構成されている。第１および第２のスイッチ素子３０８，３０７はそれぞれ電流のスイッチングを行う。カレントトランス（ＣＴ）３１１は、第１および第２のスイッチ素子３０８、３０７でスイッチングされたスイッチング電流を検出するトランスである。
【００７３】
先述したとおり、定着器２３には、励磁コイル５０６、温度検出サーミスタ４０５，４０６、過昇温を検出するサーモスイッチ５０２が設けられている。
【００７４】
ドライバ回路３１５は、ゲートトランス３０６，３０５をそれぞれ介して第１および第２のスイッチ素子３０８，３０７を駆動する。このドライバ回路３１５は、カレントトランス３１１の出力電圧をフィルタリングするフィルタ３２５、発振回路３２８、コンパレータ等の比較器３２７、基準電圧Ｖｓ供給部３２６、クロック生成部３２９で構成される。クロック生成部３２９は、温調制御を行うためのクロックを生成する。同時に、定着ベルト５０１と加圧ローラ５３０との相互圧接部の検出温度が規定温度を超過した場合に、画像形成制御部３１６からの信号により励磁コイル５０６への駆動パルスを停止し、定着器２３への電力供給を停止する制御を行っている。
【００７５】
画像形成制御回路３１６は、定着器２３に設けられているサーミスタ４０５，４０６の温度検出値に基づき、目標温度と比較しながら制御量をコントロールする。ドライバ回路３１５は、画像形成制御回路３１６からの制御信号を受けて、ゲートトランス３０５，３０６へのスイッチングクロックを生成し、高周波インバータ装置の制御形態に相応しい制御を行う。
【００７６】
第１および第２のスイッチ素子３０８，３０７としては、パワー用電力スイッチ素子が最適であり、ＦＥＴもしくはＩＧＢＴ（＋逆導通ダイオード）により構成されている。第１および第２のスイッチ素子３０８，３０７は共振電流を制御するため、定常時の損失及びスイッチ損失が小さいもので、なおかつ高耐圧、大電流タイプのものがよい。
【００７７】
電源ライン入力端子３０１から交流入力電源を受け、リレー３０３を介して整流回路３０４に交流電源が印加されると、この整流回路３０４の両波整流ダイオードにより脈動化直流電圧が生成される。その後、第２のスイッチ素子３０７がスイッチングを行うようにゲート制御トランス３０５をドライブすることにより、励磁コイル５０６と共振コンデンサ３０９で構成された共振回路に交流パルス電圧が印加される。この結果、第１のスイッチ素子３０８の導通時には励磁コイル５０６に脈動化直流電圧が印加され、励磁コイル５０６のインダクタンスと抵抗とにより定まる電流が流れ始める。ゲート信号に従って第１のスイッチ素子３０８がターンオフすると、励磁コイル５０６は電流を流し続けようとする。そのため、励磁コイル５０６の両端に共振コンデンサ３０９と励磁コイル５０６とにより定まる共振回路の尖鋭度Ｑにより、フライバック電圧と呼ばれる高電圧が発生する。この電圧は電源電圧を中心に振動し、そのままオフ状態を保っておくと電源電圧に収束する。
【００７８】
フライバック電圧のリンギングが大きく、第１のスイッチ素子３０８のコイル側端子の電圧が負になる期間は逆導通ダイオードがターンオフし、電流が励磁コイル５０６に流入する。この期間中、励磁コイル５０６と第１のスイッチ素子３０８の接点は０Ｖにクランプされることになる。このような期間に第１のスイッチ素子３０８をオンすれば、第１のスイッチ素子３０８は電圧を背負うことなくターンオン可能なことが一般に知られており、ＺＶＳ（Zero Voltage Switching）と呼ばれている。このような駆動方法により第１のスイッチ素子３０８のスイッチングに伴う損失を最小とすることができ、効率の良い、ノイズの少ないスイッチングが可能になる。
【００７９】
次に、図９のカレントトランス３１１を用いた励磁コイル５０６の電流の検出について説明する。検出波形の一例を図１０に示す。
【００８０】
カレントトランス３１１は、第１のスイッチ素子３０８のエミッタ（ＦＥＴの場合はドレイン）から整流回路３０４のマイナス端子及び整流回路３０４の後段のフィルタコンデンサ（図示略）へ流れる電流を検出すべく構成されている。１：ｎの巻線を有するカレントトランス３１１の１ターン側にパワー側の電流を流し、ｎターン側に設けた検出抵抗により電圧情報として検出する。スイッチング電流波形は、図１０のように、スイッチング周波数（２０ｋ〜５００ｋＨｚ）に対応した鋸歯状波を示しており、その電流ピーク値の包絡線は商用周波数（例えば５０Ｈｚ）の正弦波を全波整流した形となっている。
【００８１】
カレントトランス３１１で検出した検出電流は、フィルタ３２５においてピークホールド整流される。フィルタ３２５でフィルタリングされた電流検出（電圧）値は比較器３２７の（−）入力端子へ、所定の基準電圧Ｖｓ３２６は比較器３２７の（＋）入力端子へそれぞれ送信され、比較器３２７により双方の値を比較する。比較器３２７は、電流検出値が基準電圧Ｖｓ３２６よりも大きい場合には、基準電圧Ｖｓ３２６に対応する電流以上に大きなスイッチング（ピーク）電流が流れないように、ローレベルをクロック生成部３２９へ出力する。したがって、クロック生成部３２９からゲートトランス３０５，３０６へ送信されるクロックのオン時間が、パルスバイパルスで制限されスイッチング（ピーク）電流が制限される。
【００８２】
図１１は、図１０に示したＡの時間範囲について拡大表示したものである。
【００８３】
この例では、第１のスイッチング素子３０８を駆動するパルスのオン時間がｔonaの場合、流れるスイッチング電流の検出電圧のピーク値は、所定電圧Ｖｓに達していない。一方、定着器２３への投入電力が増加した場合等において、オン時間がｔonbとなった場合、この例では、流れるスイッチング電流の検出電圧のピーク値は、所定電圧Ｖｓに達している。このため、クロック生成部３２９は、比較器３２７からの出力によりオン時間がｔonbよりも長くならないように制限をかけている。つまり、スイッチング電流のピーク値を所定値に抑えることで、定着器２３に投入される電力の最大電力を制限するリミッタ動作を行う構成となっている。大電流が流れる場合等、異常電流検出時はこのような保護を行っている。
【００８４】
次に、定着器２３に投入される最大電力（初期電力）の電圧依存性について説明する。電流制御を全く行わない系においては、ＡＣライン電圧に対し出力電力はＡＣライン電圧の２乗で変動していくことになる。これに対し、電流検出によりリミットをかける本構成によれば、出力電力を入力電圧に線形依存するようにすることができる。
【００８５】
このような回路を構成し、実験を行った結果を図１２に示す。
【００８６】
図１２の「制御無し領域」は、電流制御を行わない場合の実験結果であり、入力電圧の２乗で電力変化がみられ、電源電圧による電力依存性が大きい。一方、「ピーク一定制御領域」は、レーザビームプリンタ１００に用いられる電圧を含む入力電圧範囲内において、検出したピーク電流が一定になるよう制御した場合の実験結果である。図１２より、電源電圧による電力変動が少ないことを示している。つまり、検出したピーク電流に基づいて電力制御回路の最大出力値を制御することにより、ＡＣライン電流検出結果により電力制御幅の最大値（最大投入可能電力）を制御し、最大供給可能な電力がＡＣライン電圧に依存し難くなるよう制御している。
【００８７】
電流を検出し電力を制御するということから、定着器２３の励磁コイル５０６に電流を流す時間、即ち第１のスイッチ素子３０８のオンしている時間の最大値は、ＡＣラインを流れる電流と供給可能な電力とにより定める。画像形成制御回路３１６からの制御信号はその時間の最大値を超えない範囲となっている。また、最小時間についても規定する構成をとってよい。
【００８８】
＜本実施形態の電力制御動作例＞
（電力制御の概略）
以下では、本実施形態における電力制御について説明する。
【００８９】
画像形成装置は一般に大電力を消費する。その電力消費の多くは、定着器によるものである。そこで、動作モードとして、プリント要求の待機状態が一定時間以上続いた場合に、定着器への供給電力を落として待機するいわゆる省エネルギーモードあるいはスリープモードに移行する、という電力制御が行われるのが一般的である。本実施形態におけるレーザビームプリンタ１００も、動作モードとしてこの省エネルギーモードを有している。省エネルギーモードでは、当然、定着器の温度は下がる。そうすると、電源スイッチ投入時だけでなく、省エネルギーモードから復帰する時（通常モードに移行する時）にも、定着器が冷えていると考えられる。定着器が冷えた状態からスタンバイ状態の温度に達するまでの時間（ウォームアップ時間）を短縮することが課題となっていることは先述したとおりであるが、この課題は以下に説明する本実施形態の電力制御によって解決される。
【００９０】
画像形成制御回路３１６は、まず、省エネルギーモード時あるいは蓄電器４５５からの電力供給が不要な時は、スイッチ４６３をオフにするとともに、充電回路４５６を動作させて蓄電器４５５を充電しておく。
【００９１】
一方、電源投入または省エネルギーモードからの復帰でプリント要求を受けた時や画像形成動作開始時等の定着器２３を使用する際には、画像形成制御回路３１６は、スイッチ４６３をオンにして、蓄電器４５５からの電力により負荷４６０を駆動する。したがって、蓄電器４５５からの電力供給により負荷４６０で消費する電力分が、商用電源から消費されなくなるため、商用電源の最大電流から規定される最大電力に対して余力ができることになる。
【００９２】
例えば、定着器２３の温度立ち上げ時において、定着制御回路３３０の一次側（ＡＣ側）で１１Ａの電流が流れており、スイッチング電源回路４７０の一次側（ＡＣ側）で３Ａの電流が流れているとする。定着制御回路３３０での入力電圧に依存する電力等のバラツキを約１Ａと見込むと、その合計電力は、（定着制御回路３３０とスイッチング電源回路４７０の力率cosθが共に１であると仮定すると）、１５Ａ（＝１１Ａ＋３Ａ＋１Ａ）となり、商用電源の最大電流１５Ａ以内、つまり許容電力１５００Ｗ（＝１００Ｖ×１５Ａ）内に収まる。
【００９３】
このような条件の下、蓄電器４５５から負荷４６０への電力供給により、スイッチング電源回路４７０の一次側（ＡＣ側）での電流値が２Ａ軽減したとすると、蓄電器４５５からの電力により負荷４６０を駆動している間、この２Ａ分の電力（２００Ｗ＝１００Ｖ×２Ａ）が商用電源から消費されなくなるため、商用電源の最大供給電流に対して余力ができることになる。
【００９４】
このため、画像形成制御回路３１６は、定着制御回路３３０のドライバ３１５内の基準電圧Ｖｓ３２６をこの２Ａに相当する分上昇させ、定着器２３への投入電力制限値を高くする。したがって、定着制御回路３３０の一次側（ＡＣ側）で１３Ａ、スイッチング電源回路４７０の一次側（ＡＣ側）で１Ａ、バラツキは変わらず約１Ａであり、その合計電流は同様に１５Ａ（＝１３Ａ＋１Ａ＋１Ａ）で、商用電源の最大許容電力内に収まる。なお、当然のことながら、実際の設計時には設計バラツキを考慮して、商用電源の最大供給可能な電流を超えないようにしておく必要がある。
【００９５】
このように、蓄電器４５５から負荷４６０への給電状態、すなわち、選択手段としてのスイッチ４６３の状態、に応じて基準電圧Ｖｓ３２６を調整することにより、定着器２３への投入電力制限レベルを調整することができる。
【００９６】
また、上記のように蓄電器４５５を用いることにより、定着器２３の温度立ち上げ時において約２００Ｗ（＝１００Ｖ×２Ａ）の電力を定着器２３へ供給することが可能な場合には、オンデマンド定着を実現できる可能性が出てくる。すなわち、図２２において、上記同様に蓄電器４５５の利用により２００Ｗの電力を定着器２３へさらに供給することで、図中のプリント温度までに達する時間が３０ｓｅｃ（点Ｗａ）が１５ｓｅｃ （点Ｗｂ）となる。このように、定着器２３の温度立ち上げ時間を短縮することが可能となる。
【００９７】
（電力制御の詳細）
本実施形態における電力制御動作は概ね上記のとおりであるが、以下では、さらにプリント要求の有無及び／又は蓄電器４５５の充電状態及び／又は定着器２３の温度を加味した電力制御について説明する。
【００９８】
図１３Ａは、画像形成制御回路３１６の構成例を示す図である。尚、図１３Ａには、プログラム制御されるコンピュータにより実現した例を示したが、以下の図１３Ｂのフローチャートに示す手順は、ハードウエアのロジック回路により実現してもよい。
【００９９】
図１３Ａで、１３１は演算制御用のＣＰＵ、１３２は固定のプログラム及びパラメータを格納するＲＯＭ、１３３はＣＰＵ１３１が動作中にデータを一時記憶するＲＡＭである。
【０１００】
ＲＯＭ１３２は、プログラム記憶領域として、図１３Ｂに示す電力制御プログラムの記憶領域１３２ａを有する。データ記憶領域として、定着器２３の動作可能な下限の温度であるＴLの記憶領域１３２ｂ、定電圧制御回路４５８を介して負荷４６０の駆動に必要な電圧Ｖｄにまで昇圧可能な蓄電器４５５の下限の電圧ＶLの記憶領域１３２ｃを有する。又、本実施形態で定着消費電力の増加値ＷFを実現する、比較器３２７の（＋）入力端子の基準電圧Ｖｓ３２６を対応付けて記憶するＷF／Ｖｓテーブルの記憶領域１３２ｄ、商用電源３０１の最大消費電流値の記憶領域１３２ｅを有する。尚、商用電源３０１の最大消費電流値は、本例では１４Ａ（＝１５Ａ−１Ａ：１Ａは入力電圧に依存する電力等のバラツキ）である。
【０１０１】
ＲＡＭ１３３は、データの一時記憶領域として、サーミスタ４９６（４０５）で測定された定着器２３の測定温度であるＴHb（ＴHa）の記憶領域１３３ａ、蓄電器電圧検出回路４５７で検出された蓄電器４５５の蓄電電圧Ｖｃの記憶領域１３３ｂを有する。又、定着器２３が現在消費している電力に対応する定着制御回路３３０の一時側電流値の記憶領域１３３ｃ、負荷４６０が現在消費している電力に対応するスイッチング電源回路４７０の一時側電流値の記憶領域１３３ｄを有する。更に、本実施形態で蓄電器４５５の電力が負荷４６０に供給されている時の、定着器２３への増加可能な消費電力値の記憶領域１３３ｅを有する。
【０１０２】
尚、ＲＯＭ１３２及びＲＡＭ１３３の構成は、本実施形態の動作に関連の深いもののみを示したものである。
【０１０３】
１３４は、ＣＰＵ１３１が電力制御プログラムを実行するに際して必要とする入力信号のインタフェース、１３５は、ＣＰＵ１３１が電力制御プログラムを実行して電力制御をするための制御信号のインタフェースである。
【０１０４】
入力信号としては、サーミスタ４０５よりの温度信号ＴHa、サーミスタ４０６よりの温度信号ＴHb、蓄電器電圧検出回路４５７からの蓄電器４５５の蓄電電圧信号が含まれる。又、定着制御回路３３０あるいはスイッチング電源回路４７０が消費している商用電源３０１からの一次電流値、電源ＯＮ（あるいは省エネルギーモードからの復帰）を示す信号、プリント要求を示す信号を含む。尚、図１３Ａでは、電源ＯＮ信号やプリント要求信号を入力信号のインタフェースを介するように示したが、直接ＣＰＵ１３１にインタラプト信号として入力されてもよい。
【０１０５】
出力制御信号としては、リレー３０３を制御するためのリレー制御信号、クロック生成部３２９を制御するクロック生成制御信号、基準電圧Ｖｓ３２６を制御する制御信号が含まれる。又、スイッチ４６３を制御して蓄電器からの電力の負荷への接断を制御する蓄電器接続制御信号、蓄電器４５５を充電する充電回路４５６を制御する充電回路制御信号が含まれる。
【０１０６】
尚、かかる入力及び出力信号も、本実施形態の動作に関連の深いもののみを示したものである。
【０１０７】
（本実施形態の電力制御の手順例１）
図１３Ｂは、上記構成の画像形成制御回路３１６による、プリント要求の有無及び／又は蓄電器４５５の充電状態を加味した電力制御の動作手順例１を示すフローチャートである。本処理は、電源投入または省エネルギーモードからの復帰でプリント要求を受けた時に開始する。
【０１０８】
まず、ステップＳ４０１で、プリンタ電源のオン、あるいは省エネルギーモードからの復帰を判定する。プリンタ電源のオン、あるいは省エネルギーモードからの復帰であれば、ステップＳ４０２で蓄電器４５５を充電回路４５６に接続する。
【０１０９】
ここで、画像形成装置は、ステップＳ４０３でプリント要求の有無を検知する。プリント要求が無いと検知した場合には、そもそも蓄電器４５５から電力を供給して定着器２３の急速立ち上げを行う必要はないので、ステップＳ４１１に進む。ステップＳ４１１は、スイッチ４６３をオフすることで蓄電器４５５を負荷４６０から切断する処理であるが、この場合には元々スイッチ４６３はオフ状態に維持されている。ステップＳ４１２で電源ＯＦＦの指示か所定時間プリント要求が無いかを判定し、その間はステップＳ４０３に戻ってプリント要求を待つ。電源ＯＦＦの指示か所定時間プリント要求が無い場合は、ステップＳ４１３で電源ＯＦＦの処理、あるいは省エネルギーモードに移行して、本処理を終了する。
【０１１０】
一方、ステップＳ４０３で、画像形成装置へのプリント要求が有ると検知した場合には、ステップＳ４０４に進み、画像形成制御回路３１６は、定着器２３に設けられているサーミスタ４０６の温度検出値ＴHbを入力し（図９を参照）、その温度検出値ＴHbが定着可能な下限の温度ＴL以上であるか否かを判断する。定着器２３の温度が既に定着可能な下限の温度ＴL以上ある場合には、そもそも蓄電器４５５から電力を供給して定着器２３の急速立ち上げを行う必要はない。その場合はステップＳ４１０に進み、スイッチ４６３のオフ状態を維持することで商用電源３０１から通常の電力ＷLを定着器２３に供給する。続くステップＳ４１１はスイッチ４６３をオフすることで蓄電器４５５を負荷４６０から切断する処理であるが、この場合には元々スイッチ４６３はオフ状態に維持されている。
【０１１１】
ステップＳ４０４において、温度検出値ＴHbが定着可能な下限の温度ＴL未満である場合には、ステップＳ４０５に進む。ステップＳ４０５では、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上であるか否かを判断する。ここで、蓄電器４５５の充電電圧ＶｃがＶLに満たない場合は、充電が不十分であるとみなして、ステップＳ４１０に進む。この充電が不十分なままスイッチ４６３をオンして蓄電器４５５からの電力を供給しても、定着器２３の急速立ち上げに寄与しないばかりか、かえってその立ち上げに支障をきたすおそれもあるからである。
【０１１２】
ステップＳ４０５において、充電電圧ＶｃがＶL以上ある場合にはステップＳ４０６に進み、蓄電器４５５を負荷４６０に接続すべくスイッチ４６３をオンする。したがって、負荷４６０は蓄電器４５５からの電力によって駆動することになる。これにより、商用電源の最大電流から規定される最大電力に対して余力ができ、その余力を定着器２３に回すことが可能になることは、先述したとおりである。
【０１１３】
そこで本実施形態では、ステップＳ４０７において、定着器２３への供給電力を、上記商用電源の最大電力に対する余力の電力ＷFだけ増加させる。具体的には、例えば、定着制御回路３３０のドライバ３１５内の基準電圧Ｖｓ３２６（図９を参照）を、電力ＷFに相当する分上昇させ、定着器２３への投入電力制限値を高くすることで、供給電力の増加を実現できる。これにより、定着器２３に供給される電力は、商用電源３０１からの通常の電力ＷL＋増加電力ＷFとなる。なお、このとき定着器２３に供給される電力（ＷL＋ＷF）は、商用電源３０１の電圧範囲内での最低電圧（例えば、電圧範囲を１００〜１２７Ｖとすると、その下限電圧である１００Ｖ）に合わせて設定するのが望ましい。
【０１１４】
上記のステップＳ４０６，Ｓ４０７によって蓄電器４５５からの電力が負荷４６０に供給されている間は、ステップＳ４０８で、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上に維持されているかどうかを監視する。更に、ステップＳ４０９で、サーミスタ４０６の温度検出値ＴHbが、定着器２３が定着可能な下限の温度ＴL以上になったかどうかを監視する。
【０１１５】
ここで、蓄電器４５５の充電電圧ＶｃがＶLを下回ったとき（ステップＳ４０８でＮＯ）、または、サーミスタ４０６の温度検出値ＴHb（すなわち、定着器２３の温度）がＴL以上になったとき（ステップＳ４０９のＹＥＳ）は、ステップＳ４１０に進む。ステップＳ４１０では、定着器２３への供給電力を通常電力ＷLに戻す。具体的には、例えば、定着制御回路３３０のドライバ３１５内の基準電圧Ｖｓ３２６（図９を参照）を、ステップＳ４０７で増加した電力ＷFに相当する分降下させ、定着器２３への投入電力制限値を低くすることで、通常電力ＷLへの降下を実現できる。
【０１１６】
そして、ステップＳ４１１で、スイッチ４６３をオフすることで蓄電器４５５を負荷４６０から切断する。
【０１１７】
（本手順例１による電力制御の効果）
以上説明した、プリント要求の有無及び／又は蓄電器４５５の充電状態及び／又は定着器２３の温度を加味した電力制御の効果を説明する。
【０１１８】
図１４は、本実施形態と、蓄電器を使用しない従来例のそれぞれについて、定着器への電力供給量の時間推移を示している。図１４中、（Ｂ）の実線ａは、本実施形態における定着器２３への電力供給量を示しており、（Ｃ）の破線ｂは、蓄電器を使用しない従来例における定着器への電力供給量を示している。また、（Ａ）の実線ｃと破線ｄはそれぞれ、定着器への電力供給に伴う本実施形態の定着器の温度の時間遷移、従来の定着器の温度の時間遷移を示している。
【０１１９】
図１４に示すように、定着器が定着可能な下限の温度ＴLよりも低い温度から立ち上げる場合、従来の画像形成装置では、定着器に商用電源の通常電力ＷLだけを供給し、その定着器の温度がＴLに達するまでに時間ｔ2を要していたところ、本実施形態のレーザビームプリンタ１００においては、定着器２３への電力供給量をＷFだけ増加させているので、その定着器の温度がＴLに達するまでの時間は、ｔ2より短いｔ1で済む。
【０１２０】
なお、上述の充電状態及び／又は定着器の温度を加味した電力制御では、ステップＳ４０７のように、蓄電器４５５を負荷４６０から切断する条件を、定着器２３の温度が定着可能な下限の温度を上回ったこととしたが、定着器２３への供給電力、上昇温度および降下温度と時間の関係が予め分かっている場合には、ステップＳ４０７のような条件の代わりに、経過時間あるいは総供給電力量で設定することも可能である。
【０１２１】
以上のように、レーザビームプリンタ１００内に蓄電器４５５を設け、定着起動時に蓄電器４５５から定着器２３以外のモータ等の負荷４６０に電力を供給する。そのため、蓄電器４５５からの負荷４６０への電力供給が行われている間、余剰電力に相当する分、定着器２３への電力制限値を増加させることが可能となる。その余剰電力を定着器２３の立ち上げ電力として有効活用することで、定着器２３の立ち上げ時間を短縮することができる。また、定着器２３内には、主ヒータ、副ヒータといった複数の熱源を必要としないため定着器の構成を簡素化することができるとともに、画像形成装置の構成や印字速度等の性能によってはオンデマンド定着の実現が可能となる。
【０１２２】
更に、上記の効果に加え、プリンタの電源オンまたは省エネルギーモードからの復帰時に、蓄電器４５５の充電状態を確認するとともに、プリント要求の有無を確認する。このとき、レーザビームプリンタ１００の立ち上げへの電力供給を、蓄電器４５５の充電よりも優先させることで、蓄電器４５５の充電により、レーザビームプリンタ１００の立ち上げへの電力供給が阻害されるのを防止できる。また、プリント要求の有無を確認するとき、プリント要求が無いと判断された場合、蓄電器４５５の充電状態が不十分であれば、ただちに蓄電器４５５の充電過程に入るので、次のプリントに備え、素早く蓄電器４５５を使用可能な状態にすることができる。
【０１２３】
以上、本発明の第１の実施形態を説明した。以下では、別の実施形態をいくつか説明する。それぞれ、画像形成装置の概略構成をはじめ各部の構成および動作も上述した第１の実施形態と概ね同様であるが、給電制御系の構成に特徴的な違いを呈するものである。そこで以下の実施形態では、第１の実施形態で用いた図面を援用すると共に、新たに用いる図面については、第１の実施形態と共通する構成には同一の参照番号を付してそれらの説明は省略し、他の実施形態と相違する構成または動作について説明することにする。
【０１２４】
（本実施形態の電力制御の手順例２）
図１５は、本実施形態における画像形成制御回路３１６による、プリンタの電源オンまたは省エネルギーモードからの復帰時の電力制御の動作例２を示すフローチャートである。
【０１２５】
第１の手順例（図１３Ｂ）との違いは、蓄電器４５５の充電電圧Ｖｃが略一杯（≒ＶH）になるまで、プリント要求の有無を所定のタイミングで検知し続けている点である。本処理は、プリンタの電源オンまたは省エネルギーモードからの復帰でプリント要求を受けた時に開始する。
【０１２６】
まず、ステップＳ７０１で、プリンタ電源のオン、あるいは省エネルギーモードからの復帰を判定する。プリンタ電源のオン、あるいは省エネルギーモードからの復帰であれば、ステップＳ７０２で蓄電器４５５を充電回路４５６に接続する。
【０１２７】
ステップＳ７０３で、画像形成装置におけるプリント要求の有無を検知する。プリント要求が無いと検知した場合には、そもそも蓄電器４５５から電力を供給して定着器２３の急速立ち上げを行う必要はないので、ステップＳ７１３に進む。ステップＳ７１３はスイッチ４６３をオフすることで蓄電器４５５を負荷４６０から切断する処理である。この場合には元々スイッチ４６３はオフ状態に維持されているのでステップＳ７１４に進み、蓄電器４５５が略一杯（≒ＶH）かどうかを蓄電器電圧検出回路４５７で検出する。蓄電器４５５が略一杯であれば、ステップＳ７１５に進んで充電を終了する。ステップＳ７１６で電源ＯＦＦの指示か所定時間プリント要求が無いかを判定し、その間はステップＳ７０３に戻ってプリント要求を待つ。電源ＯＦＦの指示か所定時間プリント要求が無い場合は、ステップＳ７１３で電源ＯＦＦの処理、あるいは省エネルギーモードに移行して、本処理を終了する。
【０１２８】
蓄電器４５５が略一杯でなければ、ステップＳ７０３に戻りプリント要求の有無を検知する。プリント要求が無い場合には、同様にステップＳ７１３に進み、ステップＳ７０３−Ｓ７１３−Ｓ７１４を繰り返す。
【０１２９】
一方、ステップＳ７０３で、プリント要求が有ると検知した場合には、手順例１と同様にステップＳ７０４に進み、画像形成制御回路３１６は、定着器２３に設けられているサーミスタ４０６の温度検出値ＴHbを入力し（図９を参照）、その温度検出値ＴHbが定着可能な下限の温度ＴL以上であるか否かを判断する。定着器２３の温度が既に定着可能な下限の温度ＴL以上ある場合には、そもそも蓄電器４５５から電力を供給して定着器２３の急速立ち上げを行う必要はない。従って、ステップＳ７１１に進みスイッチ４６３のオフ状態を維持することで、商用電源３０１から通常の電力ＷLを定着器２３に供給する。続くステップＳ７１２はスイッチ４６３をオフすることで蓄電器４５５を負荷４６０から切断する処理であるが、この場合には元々スイッチ４６３はオフ状態に維持されている。
【０１３０】
ステップＳ７０４において、温度検出値ＴHbが定着可能な下限の温度ＴL未満である場合には、ステップＳ７０５に進む。ステップＳ７０５では、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上であるか否かを判断する。ここで、蓄電器４５５の充電電圧ＶｃがＶLに満たない場合は、充電が不十分であるとみなして、上記ステップＳ７０４で定着器２３の温度が既に定着可能な下限の温度ＴL以上ある場合と同様にステップＳ７１１に進む。この充電が不十分なままスイッチ４６３のオンして蓄電器４５５からの電力を供給しても、定着器２３の急速立ち上げに寄与しないばかりか、かえってその立ち上げに支障をきたすおそれもあるからである。
【０１３１】
ステップＳ７０５において充電電圧ＶｃがＶL以上ある場合には、ステップＳ７０６に進みで蓄電器４５５を充電回路４５６から遮断し、ステップＳ７０７に進む。ステップＳ７０７において、蓄電器４５５を負荷４６０に接続すべく、スイッチ４６３をオンする。したがって、負荷４６０は蓄電器４５５からの電力によって駆動することになる。これにより、第１の手順例と同様に、商用電源３０１の最大電流から規定される最大電力に対して余力ができ、その余力を定着器２３に回すことが可能になる。
【０１３２】
そこで第１の手順例と同様に、本手順例２では、ステップＳ７０８において、定着器２３への供給電力を、上記商用電源の最大電力に対する余力の電力ＷFだけ増加させる。具体的には、例えば、定着制御回路３３０のドライバ３１５内の基準電圧Ｖｓ３２６（図９を参照）を、電力ＷFに相当する分上昇させ、定着器２３への投入電力制限値を高くすることで実現できる。これにより、定着器２３に供給される電力は、商用電源３０１からの通常の電力ＷL＋ＷFとなる。なお、このとき定着器２３に供給される電力（ＷL＋ＷF）は、商用電源３０１の電圧範囲内での最低電圧（例えば、電圧範囲を１００〜１２７Ｖとすると、その下限電圧である１００Ｖ）に合わせて設定するのが望ましい。
【０１３３】
上記のステップＳ７０７，Ｓ７０８によって蓄電器４５５からの電力が負荷４６０に供給されている間は、ステップＳ７０９で、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上に維持されているかどうかを監視する。更に、ステップＳ７１０で、サーミスタ４０６の温度検出値ＴHbが、定着器２３が定着可能な下限の温度ＴL以上になったかどうかを監視する。
【０１３４】
ここで、蓄電器４５５の充電電圧ＶｃがＶLを下回ったとき（ステップＳ７０９のＮＯ）、または、サーミスタ４０６の温度検出値ＴHb（すなわち、定着器２３の温度）がＴL以上になったとき（ステップＳ７１０のＹＥＳ）は、ステップＳ７１１に進み、定着器２３への供給電力を通常電力ＷLに戻す。具体的には、例えば、定着制御回路３３０のドライバ３１５内の基準電圧Ｖｓ３２６（図９を参照）を、ステップＳ７０８で増加した電力ＷFに相当する分降下させ、定着器２３への投入電力制限値を低くすることで実現できる。
【０１３５】
そして、ステップＳ７１２で、スイッチ４６３をオフすることで蓄電器４５５を負荷４６０から切断する。
【０１３６】
（本手順例２による電力制御の効果）
本手順例２においては、蓄電器４５５の充電電圧Ｖｃが略一杯になるまで、任意の間隔で検知することにより、蓄電器４５５の過充電を防止することができる。また、蓄電器４５５が使用可能な充電状態になるまで、プリント要求の有無を任意の間隔で確認し続けることにより、速やかに蓄電器４５５の充電が行なえると同時に、レーザビームプリンタ１００の立ち上げ時には、レーザビームプリンタ１００の立ち上げへの電力供給を、蓄電器４５５の充電よりも優先させることで、蓄電器４５５の充電により、レーザビームプリンタ１００の立ち上げへの電力供給が阻害されるのを防止できる。
【０１３７】
（本実施形態の電力制御の手順例３）
図１６は、本実施形態における画像形成制御回路３１６による、プリンタの電源オンまたは省エネルギーモードからの復帰時の電力制御の動作手順例３を示すフローチャートである。
【０１３８】
第１の手順例（図１３Ｂ）では、定着器２３の温度ＴHbが定着可能な下限の温度ＴLに到達しているかどうかで、蓄電器４５５を使用するかどうかを決定する。しかし、手順例３では、蓄電器４５５を使用せずにウォームアップタイムが１５ｓｅｃ以内である定着器２３の温度ＴL1に到達しているかどうかで、蓄電器４５５を使用するかどうかを決定する。ちなみに、本手順例３において、蓄電器４５５を使用せずにウォームアップタイムが１５ｓｅｃ以内である場合の定着器２３の温度ＴL1は、１２０℃である。本処理は、プリンタの電源オンまたは省エネルギーモードからの復帰でプリント要求を受けた時に開始する。
【０１３９】
まず、ステップＳ８０１で、プリンタ電源のオン、あるいは省エネルギーモードからの復帰を判定する。プリンタ電源のオン、あるいは省エネルギーモードからの復帰であれば、ステップＳ８０２で蓄電器４５５を充電回路４５６に接続する。
【０１４０】
ステップＳ８０３で、画像形成装置においてプリント要求の有無を検知する。プリント要求が無いと検知した場合には、そもそも蓄電器４５５から電力を供給して定着器２３の急速立ち上げを行う必要はないので、ステップＳ８１３に進む。ステップＳ８１３はスイッチ４６３をオフすることで蓄電器４５５を負荷４６０から切断する処理であるが、この場合には元々スイッチ４６３はオフ状態に維持されている。従って、ステップＳ８１４に進み、蓄電器４５５が略一杯かどうか蓄電器電圧検出回路４５７で検出する。蓄電器４５５が略一杯であれば、ステップＳ８１５に進み、充電を終了する。ステップＳ８１６で電源ＯＦＦの指示か所定時間プリント要求が無いかを判定し、その間はステップＳ８０３に戻ってプリント要求を待つ。電源ＯＦＦの指示か所定時間プリント要求が無い場合は、ステップＳ８１３で電源ＯＦＦの処理、あるいは省エネルギーモードに移行して、本処理を終了する。
【０１４１】
蓄電器４５５が略一杯でなければ、ステップＳ８０３に進み、プリント要求の有無を検知する。プリント要求が無い場合には、同様にステップＳ８１３に進む。
【０１４２】
一方、ステップＳ８０３で、プリント要求が有ると検知した場合には、手順例２と同様にステップＳ８０４に進み、画像形成制御回路３１６は、定着器２３に設けられているサーミスタ４０６の温度検出値Hbを入力し（図９を参照）、その温度検出値ＶHbが定着可能な下限の温度ＴL1以上であるか否かを判断する。定着器２３の温度が既に定着可能な下限の温度ＴL1以上ある場合には、そもそも蓄電器４５５から電力を供給して定着器２３の急速立ち上げを行う必要はない。従って、ステップＳ８１１に進み、スイッチ４６３のオフ状態を維持することで商用電源３０１から通常の電力ＷLを定着器２３に供給する。続くステップＳ８１２はスイッチ４６３をオフすることで蓄電器４５５を負荷４６０から切断する処理であるが、この場合には元々スイッチ４６３はオフ状態に維持されている。
【０１４３】
ステップＳ８０４において、温度検出値が定着可能な下限の温度ＴL１未満である場合には、ステップＳ８０５に進む。ステップＳ８０５では、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上であるか否かを判断する。ここで、蓄電器４５５の充電電圧ＶｃがＶLに満たない場合は、充電が不十分であるとみなして、上記ステップＳ８０４で定着器２３の温度が既に定着可能な下限の温度ＴL１以上ある場合と同様に、ステップＳ８１１に進む。この充電が不十分なままスイッチ４６３をオンして蓄電器４５５からの電力を供給しても、定着器２３の急速立ち上げに寄与しないばかりか、かえってその立ち上げに支障をきたすおそれもあるからである。
【０１４４】
ステップＳ８０５において、充電電圧ＶｃがＶL以上ある場合には、ステップＳ８０６に進んで蓄電器４５５を充電回路４５６から遮断し、ステップＳ８０７に進む。ステップＳ８０７において、蓄電器４５５を負荷４６０に接続すべく、スイッチ４６３をオンする。したがって、負荷４６０は蓄電器４５５からの電力によって駆動することになる。これにより、手順例１及び２と同様に、商用電源３０１の最大電流から規定される最大電力に対して余力ができ、その余力を定着器２３に回すことが可能になる。
【０１４５】
そこで第１、第２の手順例と同様に、本手順例３では、ステップＳ８０８において、定着器２３への供給電力を、上記商用電源の最大電力に対する余力の電力ＷFだけ増加させる。具体的には、例えば、定着制御回路３３０のドライバ３１５内の基準電圧Ｖｓ３２６（図９を参照）を、電力ＷFに相当する分上昇させ、定着器２３への投入電力制限値を高くすることで実現できる。これにより、定着器２３に供給される電力は、商用電源３０１からの通常の電力ＷL＋ＷFとなる。なお、このとき定着器２３に供給される電力（ＷL＋ＷF）は、商用電源３０１の電圧範囲内での最低電圧（例えば、電圧範囲を１００〜１２７Ｖとすると、その下限電圧である１００Ｖ）に合わせて設定するのが望ましい。
【０１４６】
上記のステップＳ８０７，Ｓ８０８によって蓄電器４５５からの電力が負荷４６０に供給されている間は、ステップＳ８０９で、蓄電器電圧検出回路４５７によって検出される蓄電器４５５の充電電圧Ｖｃが、定電圧制御回路４５８が負荷４６０の駆動に必要な電圧Ｖｄにまで昇圧可能な下限の電圧ＶL以上に維持されているかどうかを監視する。又、ステップＳ８１０で、サーミスタ４０６の温度検出値ＶHbが、定着器２３が定着可能な下限の温度ＴL1以上になったかどうかを監視する。
【０１４７】
ここで、蓄電器４５５の充電電圧ＶｃがＶLを下回ったとき（ステップＳ８０９のＮＯ）、または、サーミスタ４０６の温度検出値（すなわち、定着器２３の温度）がＴL1以上になったとき（ステップＳ８１０のＹＥＳ）は、ステップＳ８１１に進む。ステップＳ８１１では、定着器２３への供給電力を、通常電力ＷLに戻す。具体的には、例えば、定着制御回路３３０のドライバ３１５内の基準電圧Ｖｓ３２６（図９を参照）を、ステップＳ８０８で増加した電力ＷFに相当する分降下させ、定着器２３への投入電力制限値を低くすることで実現できる。
【０１４８】
そして、ステップＳ８１２で、スイッチ４６３をオフすることで蓄電器４５５を負荷４６０から切断する。
【０１４９】
（本手順例３による電力制御の効果）
以上説明したプリント要求の有無及び／又は蓄電器４５５の充電状態及び／又は定着器２３の温度を加味した電力制御の効果を説明する。
【０１５０】
図１７は、本実施形態の定着器２３の温度＜ＴL1と、本実施形態の定着器２３の温度≧ＴL1のそれぞれについて、定着器への電力供給量の時間推移を示している。図１７中、（Ｂ）の実線ａは、本実施形態の定着器２３の温度＜ＴL1における定着器２３への電力供給量を示しており、（Ｃ）の破線ｂは、本実施形態の定着器２３の温度≧ＴL1における定着器への電力供給量を示している。また、（Ａ）の実線ｃ及び破線ｄはそれぞれ、定着器への電力供給に伴う本実施形態の定着器２３の温度＜ＴL1における定着器の温度の時間遷移、本実施形態の定着器２３の温度≧ＴL1における定着器の温度の時間遷移を示している。
【０１５１】
定着器２３の温度を検出し、レーザビームプリンタ１００の立ち上げ速度を予測することで、定着器２３の温度が定着可能な下限の温度ＴLより低い場合でも、ＴL1以上の場合、通常電力ＷLのみで蓄電器４５５を使用せず、ウォームアップタイム１５ｓｅｃ以内で定着可能な下限の温度ＴL以上になるので、蓄電器４５５の充電状態が不十分である場合におけるレーザビームプリンタ１００のオンデマンド立ち上げ可能な機会を大幅に増加させることが可能となる。また、蓄電器４５５を無駄に使用することを防止でき、省エネルギーにつながる。
【０１５２】
［他の実施形態］
上述の各実施形態では、電磁誘導加熱方式の定着器２３を使用したが、その他の方式の定着器を使用することも可能である。本実施形態では、セラミック面状発熱ヒータ方式の定着器について説明する。
【０１５３】
（本実施形態の定着器の構成例）
図１８は、本実施形態におけるセラミック面状発熱ヒータ方式の定着器６００の横断面構造を示す図である。
【０１５４】
６１０はステーであり、このステー６１０はセラミックヒータ６４０を露呈させて支持した横断面Ｕ字状の本体部６１１と、該本体部を対向する加圧ローラ６２０側へ加圧する加圧部６１３とで構成されている。ここで、セラミック面状発熱ヒータは、発熱体が後述のニップ部と反対側であっても、発熱体がニップ部側であっても構わない。６１４はステー６１０に外嵌させてある横断面円形の耐熱性フィルム（以下、「フィルム」と略称する）である。
【０１５５】
加圧ローラ６２０は、セラミックヒータ６４０との間にフィルム６１４を挟んで圧接ニップ部（定着ニップ部）Ｎを形成し、且つフィルム６１４を回転駆動させるフィルム外面接触駆動手段として作用する。このフィルム駆動ローラ兼加圧ローラ６２０は、芯金６２０ａとシリコンゴム等よりなる弾性体層６２０ｂと、最外層の離形層６２０ｃとよりなる。そして、不図示の軸受け手段・付勢手段により所定の押圧力をもってフィルム６１４を挟ませてセラミックヒータ６４０の表面に圧接させて配設してある。この加圧ローラ６２０は、モータＭによる回転駆動により、この加圧ローラ６２０とフィルム６１４の外面との摩擦力で該フィルムに搬送力を付与する。
【０１５６】
図１９は、セラミック面状発熱ヒータ６４０の具体的な構造例を示す図である。図１９の（ａ）はセラミック面状発熱ヒータ６４０の断面図であり、図１９の（ｂ）は発熱体６０１が形成されている面を示している。
【０１５７】
セラミック面状発熱ヒータは、ＳｉＣ、ＡｌＮ、Ａｌ２Ｏ３等のセラミックス系の絶縁基板６０７と絶縁基板面上にペースト印刷等で形成されている発熱体６０１と、発熱体保護しているガラス等の保護層６０６とから構成されている。保護層上には、セラミック面状発熱ヒータの温度を検出する温度検出素子としてのサーミスタ６０５、及び過昇温を防止する手段として例えば温度ヒューズ６０２が配置されている。サーミスタ６０５は発熱体６０１に対して絶縁距離を確保できるように、絶縁耐圧を有する絶縁物を介して配置されている。もっとも、過昇温を防止する手段としては温度ヒューズの他にサーモスイッチ等を使用してもよい。
【０１５８】
発熱体６０１は、電力が供給されると発熱する部分と、その発熱部分に接続した導電部６０３と、コネクタを介して電力が供給される電極部６０４とから構成され、発熱部６０１は通紙可能な最大の記録紙幅ＬFとほぼ同じ長さとしている。２つの電極６０４のうち１つへは、交流電源のＨＯＴ側端子が温度ヒューズ６０２を介して接続されている。電極部は発熱体を制御するトライアック６３９に接続され、交流電源のＮＥＵＴＲＡＬ端子に接続される。
【０１５９】
図２０は、本実施形態における定着制御回路６３０の構成を示す図である。この定着制御回路６３０はセラミック面状発熱ヒータ方式によるものであるが、図９では定着制御回路３３０と置き換えることができるものである。
【０１６０】
本実施形態におけるレーザビームプリンタ１００は、商用電源３０１をＡＣフィルタ（図示せず）を介してセラミック面状発熱ヒータ６４０の発熱体６０１へ供給することによりセラミック面状発熱ヒータの発熱体６０１を発熱させる。この発熱体６０１への電力供給は、トライアック６３９によって通電・遮断が制御される。抵抗６３１，６３２はトライアック６３９のためのバイアス抵抗であり、フォトトライアックカプラ６３３は一次、二次間を隔離するためのデバイスである。フォトトライアックカプラ６３３の発光ダイオードに通電することにより、トライアック６３９をオンする。抵抗６３４はフォトトライアックの電流を制限するための抵抗であり、トランジスタ６３５によりオン／オフする。トランジスタ６３５はドライバ回路６５０および抵抗６３６を介して画像形成制御回路３１６から送られるオン信号に従って動作する。ドライバ回路６５０は、電流実効値検出回路６５２、発振回路６５５、コンパレータ等の比較器６５３、６５４で示される基準電圧Ｖｓ、クロック生成部６５１で構成される。
【０１６１】
また、ＡＣフィルタ（図示せず）を介して、交流電源は、ゼロクロス検出回路６１８に入力される。ゼロクロス検出回路６１８では、商用電源３０１があるしきい値以下の電圧になっていることをクロック生成部６５１に対してパルス信号により報知する。以下、クロック生成部６５１に送信されるこの信号をＺＥＲＯＸ信号と呼ぶ。クロック生成部６５１はＺＥＲＯＸ信号のパルスのエッジを検知する。
【０１６２】
サーミスタ６０５によって検出される温度は、抵抗６３７とサーミスタ６０５との分圧として検出され、画像形成制御回路３１６にＴＨ信号としてＡ／Ｄ入力される。セラミック面状発熱ヒータ６４０の温度は、ＴＨ信号として画像形成制御回路３１６において監視され、画像形成制御回路３１６の内部で設定されているセラミック面状発熱ヒータの設定温度と比較した結果を画像形成制御回路３１６のＤ／Ａポートからのアナログ信号またはＰＷＭによってクロック生成部６５１に送信される。
【０１６３】
クロック生成部６５１は、エンジン制御回路３１６から送られた信号からセラミック面状発熱ヒータを構成する発熱体６０１に供給するべき電力を算出し、その供給する電力に対応した位相角θ（位相制御）に換算する。ゼロクロス検出回路６１８はＺＥＲＯＸ信号をクロック生成部６５１へ出力し、クロック生成部６５１は同期をとってトランジスタ６３５にオン信号を送信し、所定の位相角θａにてヒータ６４０へ通電する。
【０１６４】
図２１は、その通電状態の波形を示している。
【０１６５】
ＺＥＲＯＸ信号は、商用電源周波数（５０Ｈｚ）から決まる周期Ｔ（＝１／５０ｓｅｃ）の繰り返しパルスで、これが画像形成制御回路３１６へ送信されており、パルスの中央部が商用電源の位相０°，１８０°と電圧が０Ｖ（ゼロクロス）となるタイミングを示している。
【０１６６】
画像形成制御回路３１６は、上記のようにゼロクロスタイミングから所定のタイミングを経てトライアック６３９をオンするオン信号を送信し、商用電源電圧（正弦波）の半波において所定の位相角θａにて発熱体（ヒータ）６０１への通電が開始されるように制御している。トライアック６３９は、次のゼロクロスタイミングにてオフとなり、次の半波においてオン信号により同位相角角θａで発熱体６０１への通電が開始される。さらに、次のゼロクロスタイミングにてオフとなる。
【０１６７】
発熱体６０１は抵抗体であるため、発熱体の両端に印加される電圧波形は流れる電流波形と等しくなり、図２１に示すように１周期において正負対称の電流波形を示す。ヒータへの電力供給を増加させる場合には、ゼロクロスからオン信号を送信するタイミングを早め、逆に電力供給を低減させる場合には、ゼロクロスからオン信号を送信するタイミングを遅くする。この制御を１周期あるいは必要に応じて複数周期ごとに行うことでセラミック面状発熱ヒータ６４０の温度をコントロールしている。
【０１６８】
図２０の６２５は、定着器６００のセラミック面状発熱ヒータ６４０へ流れる電流を検出するためのカレントトランスである。カレントトランス６２５で検出した検出電流は、電流実効値を検出するＩＣ等で構成される電流実効値検出回路６５２によって実効値が測定され、検出された電流（電圧）値は比較器６５３の（−）入力端子へ、所定の基準電圧Ｖｓ６５４は比較器６５３の（＋）入力端子へそれぞれ送信され、比較器６５３により双方の値を比較する。比較器６５３は、電流検出値が基準電圧Ｖｓ６５４よりも大きい場合には、基準電圧Ｖｓ６５４に対応する電流以上に大きくならないように、ゼロクロスタイミングからオン信号を送信するまでの時間を予め定めた時間（所定の位相角）以上にするようにクロック生成部６５１へ出力する。
【０１６９】
以上のように、画像形成制御回路３１６は常時電流をモニタし、検出された平均電流より所定の最大実効電流を超えないような位相角を演算により決定し、セラミック面状発熱ヒータ６４０への最大電力の制御を行っている。
【０１７０】
万一、画像形成制御回路３１６等の故障により、発熱体が熱暴走に至り温度ヒューズ６０２が所定の温度以上になると、温度ヒューズ６０２がオープンとなる。温度ヒューズ６０２のオープンにより、セラミック面状発熱ヒータ６４０への通電経路が遮断され、発熱体６０１への通電が断たれることにより、故障時の保護がなされている。
【０１７１】
（本実施形態の電力制御例）
以上のような構成において、本実施形態では次のように電力制御を行う。
【０１７２】
画像形成制御回路３１６は、レーザビームプリンタ１００の待機時あるいは蓄電器４５５からの電力供給が不要な時は、スイッチ４６３をオフにするとともに、充電回路４５６を動作させ蓄電器４５５を充電しておく。
【０１７３】
画像形成動作開始時等の定着器２３の使用時においては、画像形成制御回路３１６はスイッチ４６３をオンにして、蓄電器４５５からの電力により負荷４６０を駆動する。したがって、蓄電器４５５からの電力供給により負荷４６０で消費する電力分が、商用電源から消費されなくなるため、商用電源の最大電流から規定される最大電力に対して余力ができることになる。
【０１７４】
たとえば、定着器２３の温度立ち上げ時において、定着制御回路６３０の一次側（ＡＣ側）で１１Ａの電流が流れており、スイッチング電源回路４７０の一次側（ＡＣ側）で３Ａの電流が流れているとする。定着制御回路６３０での入力電圧に依存する電力等のバラツキを約１Ａ見込むと、その合計電力は、（定着制御回路６３０とスイッチング電源回路４７０の力率cosθが共に１であると仮定すると、）１５Ａ（＝１１Ａ＋３Ａ＋１Ａ）となり商用電源の最大電流１５Ａ以内、つまり許容電力１５００Ｗ（＝１００Ｖ×１５Ａ）内に収まる。
【０１７５】
このような条件の下、蓄電器４５５から負荷４６０への電力供給により、スイッチング電源回路４７０の一次側（ＡＣ側）での電流値が２Ａ軽減したとすると、蓄電器４５５からの電力により負荷４６０を駆動している間、この２Ａ分の電力（２００Ｗ＝１００Ｖ×２Ａ）が商用電源から消費されなくなるため、商用電源の最大供給電流に対して余力ができることになる。
【０１７６】
このため、画像形成装置制御回路３１６は、定着器６００への投入電力制限値に相当するセラミック面状発熱ヒータ６４０への通電位相角をこの２Ａに相当する分０°側へ小さくし、定着器２３への投入電力制限値を高くする。したがって、定着制御回路６３０の一次側（ＡＣ側）で１３Ａ、スイッチング電源回路４７０の一次側（ＡＣ側）で１Ａ、バラツキは変わらず約１Ａとすると、その合計電流は同様に１５Ａ（＝１３Ａ＋１Ａ＋１Ａ）で商用電源の最大許容電力内に収まる。なお、当然のことながら、実際の設計時には設計バラツキを考慮して、商用電源の最大供給可能な電流を超えないようにしておく必要がある。
【０１７７】
以上のように、本実施形態のようなセラミック面状発熱ヒータ方式の定着器を用いた構成においても、電磁誘導加熱方式の定着器の場合と同様、レーザビームプリンタ１００内に蓄電器４５５を設け、定着器６００の起動時に蓄電器４５５から定着器６００以外のモータ等の負荷４６０に電力を供給する。そこで、蓄電器４５５からの電力供給が行われている間、余剰電力に相当する分、定着器６００への電力制限値を増加させることが可能となる。その余剰電力を定着器６００の立ち上げ電力として有効活用することで、定着器の立ち上げ時間を短縮することができる。
【０１７８】
そして、上記第１〜第３の手順例で説明したのと同様に、「プリンタの電源オン又は省エネルギーモードからの復帰」時において、適宜、プリント要求の有無及び／又は蓄電器４５５の充電状態及び／又は定着器６００の温度を加味した電力制御を行なう。これにより、蓄電器４５５の充電電圧Ｖｃが略一杯になるまで任意の間隔で検知し、蓄電器４５５の過充電を防止することができる。
【０１７９】
また、蓄電器４５５が使用可能な充電状態になるまで、プリント要求の有無を任意の間隔で確認し続け、速やかに蓄電器４５５の充電が行なえる。同時に、レーザビームプリンタ１００の立ち上げ時には、レーザビームプリンタ１００の立ち上げへの電力供給を蓄電器４５５の充電よりも優先させ、蓄電器４５５の充電により、レーザビームプリンタ１００の立ち上げへの電力供給が阻害されるのを防止できる。更に、定着器６００の温度を検出してレーザビームプリンタ１００の立ち上げ速度を予測する。そして、定着器６００の温度が定着可能な下限の温度ＴLより低い場合でもＴL1以上の場合、通常電力ＷLのみで蓄電器４５５を使用せず、ウォームアップタイム１５ｓｅｃ以内で定着可能な下限の温度ＴL以上になる。従って、蓄電器４５５の充電状態が不十分である場合におけるレーザビームプリンタ１００のオンデマンド立ち上げ可能な機会を大幅に増加させることが可能となる。
【０１８０】
また、蓄電器４５５を無駄に使用することを防止でき、省エネルギーにつながる。蓄電器４５５から、定着器６００以外のモータ等の負荷４６０に電力を供給することで、蓄電器４５５からの電力供給が行なわれている間、余剰電力に相当する分、定着器６００への電力制限値を増加させることが可能となる。その余剰電力を定着器６００の立ち上げ電力として有効活用することで、定着器６００の立ち上げ時間を短縮することができる。また、定着器６００内には主ヒータ、副ヒータといった複数の熱源を必要としないため、定着器の構成を簡素化することができるとともに、画像形成装置の構成や印字速度等の性能によってはオンデマンド定着の実現が可能となる。
【図面の簡単な説明】
【０１８１】
【図１】本実施形態に係るレーザビームプリンタの概略構成図である。
【図２】本実施形態に係るレーザビームプリンタのスキャナユニットの構成を示す図である。
【図３】本実施形態における電磁誘導加熱方式の定着器の横断面構造を示す図である。
【図４】本実施形態における電磁誘導加熱方式の定着器の定着器の正面構造を示す図である。
【図５】本実施形態における定着器を構成する定着ベルトガイド部材を示す図である。
【図６】交番磁束の発生の様子を模式的に表した図である。
【図７】本実施形態における定着ベルトの層構成を示す図である。
【図８】本実施形態におけるレーザビームプリンタの給電制御系の構成を示す図である。
【図９】本実施形態における定着制御回路の構成を示すブロック図である。
【図１０】本実施形態における定着制御回路におけるスイッチング電流を示す図である。
【図１１】本実施形態における定着器に投入される電力の最大電力を制限をするリミッタ動作を説明する図である。
【図１２】本実施形態における定着器に投入される最大電力の電圧依存性を説明する図である。
【図１３Ａ】本実施形態の画像形成制御回路の構成例を示す図である。
【図１３Ｂ】本実施形態における蓄電器の充電状態及び／又は定着器の温度を加味した電力制御動作の手順例１を示すフローチャートである。
【図１４】図１３Ｂの手順例１による電力制御動作の効果を説明する図である。
【図１５】本実施形態における蓄電器の充電状態及び／又は定着器の温度を加味した電力制御動作の手順例２を示すフローチャートである。
【図１６】本実施形態における蓄電器の充電状態及び／又は定着器の温度を加味した電力制御動作の手順例３を示すフローチャートである。
【図１７】図１６の手順例３による電力制御動作の効果を説明する図である。
【図１８】他の実施形態におけるセラミック面状発熱ヒータ方式の定着器の横断面構造を示す図である。
【図１９】他の実施形態におけるセラミック面状発熱ヒータの具体的な構造例を示す図である。
【図２０】他の実施形態における定着制御回路の構成を示す図である。
【図２１】他の実施形態におけるヒータへ通電している時の波形を示している。
【図２２】従来の電磁誘導加熱方式の定着器における定着電力とプリント可能温度に達する時間との関係を示す図である。
【図１】
2007079293.tif 000003
【図２】
2007079293.tif 000004
【図３】
2007079293.tif 000005
【図４】
2007079293.tif 000006
【図５】
2007079293.tif 000007
【図６】
2007079293.tif 000008
【図７】
2007079293.tif 000009
【図８】
2007079293.tif 000010
【図９】
2007079293.tif 000011
【図１０】
2007079293.tif 000012
【図１１】
2007079293.tif 000013
【図１２】
2007079293.tif 000014
【図１３Ａ】
2007079293.tif 000015
【図１３Ｂ】
2007079293.tif 000016
【図１４】
2007079293.tif 000017
【図１５】
2007079293.tif 000018
【図１６】
2007079293.tif 000019
【図１７】
2007079293.tif 000020
【図１８】
2007079293.tif 000021
【図１９】
2007079293.tif 000022
【図２０】
2007079293.tif 000023
【図２１】
2007079293.tif 000024
【図２２】
2007079293.tif 000025